(57)【要約】【課題】部品点数を増やさずかつ施錠開錠の捻り回転運動に対する吸収力を確保しながら、ホルダー装着部ごと脱落するという問題点を根本的に解決する。【解決手段】キーケースハウジングに固定されている板状台座そのものを部分的に橋状になるように切込み成形し、ホルダー装着部又はキー装着部を前記橋状橋桁下の開口部に通して連結するキーケース・キーホルダーを提供し、一つ目の垂直に立つ環を前記橋状開口部に通して連結し二つ目の環でキー装着部のくびれて細くなった折れ曲がり部分に首輪をかけるように連結して抜け落ちないようにする二つの環を持つホルダー装着部と、複数のリングを連続的に連結し前記橋状開口部に通して連結するホルダー装着部又はキー装着部を提供し、又は紐状キー装着部若しくは捻り回転対応機能を持つキー装着部を前記橋状開口部に通して連結するキーケース・キーホルダーを提供する。【選択図】  図１
2005177431.tif 000002
【特許請求の範囲】
【請求項１】
キーケースハウジングに固定されている板状台座そのものを部分的に橋状になるように切込み成形し、ホルダー装着部又はキー装着部を前記橋状になった橋桁の下の開口部に通して連結できるようにした板状台座を備えることを特徴とするキーケース・キーホルダー。
【請求項２】
垂直に立てた一つ目の環にほぼ水平面に平行する二つ目の環がつながるよう任意の線材で形成し、垂直に立つ一つ目の環を請求項１に記載する橋状開口部に通して連結し、二つ目の環でキー装着部のくびれて細くなった折れ曲がり部分に首輪をかけるように連結して抜け落ちないようにするホルダー装着部を備えたことを特徴とするキーケース・キーホルダー。
【請求項３】
複数のリングを連続的に連結し、請求項１の板状台座にホルダー装着部又はキー装着部として連結することを特徴とするキーケース・キーホルダー。
【請求項４】
請求項１記載の橋状開口部を設けた板状台座に、鎖又は玉鎖又はキーワイヤーなどの紐状キー装着部又はホルダー装着部を連結し、若しくは回転ナスカンなど捻り回転吸収機能を持つキー装着部又はホルダー装着部を連結することを特徴とするキーケース・キーホルダー。
【発明の詳細な説明】
【技術分野】
【０００１】  本発明は鍵脱落防止のための構造を有する携帯用キーケース・キーホルダーに関するものである。
【背景技術】
【０００２】  携帯用キーケースの主流タイプは、キー装着部を吊設するためのホルダー装着部がハウジングに固定されている板状台座との連結のために設けられており、そのホルダー装着部の端を釘頭状に加工し、板状台座上部縁の環状突出部に作った短冊状切欠部に挟みこんで連結する構造となっている。これは施錠開錠の鍵の捻り回転運動を吸収するためにこのような複雑な形状になったのであるが、そのホルダー装着部端釘頭部分の磨耗や短冊状切欠部の間隔の広がりによって、ホルダー装着部から先の鍵を含む全部が短冊状切欠部から抜け落ちるという事態が短期のうちに発生するという欠陥があった。【０００３】
【特許文献】特願２０００−２１５６３５号この欠点を是正しようと、ハウジングに固定されている板状台座上部縁の環状突出部に棒状部材を差し込み、その棒状部材に貫通される連結部材を設けてキー装着部の脱落を防止しようとしたが、この場合は部品点数が増えてコスト高になってしまう上、施錠開錠の際の捻り回転運動に対する吸収力不足という欠点がある。
【発明の開示】
【発明が解決しようとする課題】
【０００４】  部品点数を増やさずかつ施錠開錠の際の捻り回転運動に対する吸収力を確保しながら、ホルダー装着部ごと抜け落ちるという問題点を根本的に解決する。
【課題を解決するための手段】
【０００５】  キーケースハウジングに固定されている板状台座そのものを部分的に橋状になるように切込み成形し、ホルダー装着部又はキー装着部を前記橋状に成形した橋桁の下の開口部に通して連結することを特徴とするキーケース・キーホルダーを提供する。（請求項１）【０００６】  垂直に立てた一つ目の環にほぼ水平面に平行する二つ目の環がつながるよう任意の線材で形成し、垂直に立つ一つ目の環を請求項１に記載する橋状開口部に通して連結し、二つ目の環でキー装着部のくびれて細くなった折れ曲がり部分に首輪をかけるように連結するホルダー装着部を備えたことを特徴とするキーケース・キーホルダーを提供する。（請求項２）【０００７】  複数のリングを連続的に連結し、請求項１記載の板状台座にホルダー装着部又はキー装着部として連結することを特徴とするキーケース・キーホルダーを提供する。（請求項３）【０００８】  請求項１記載の橋状開口部を設けた板状台座に、鎖又は玉鎖又はキーワイヤーなどの紐状キー装着部又はホルダー装着部を連結し、若しくは回転ナスカンなど捻り回転吸収機能を持つキー装着部又はホルダー装着部を連結することを特徴とするキーケース・キーホルダーを提供する。（請求項４）
【発明の効果】
【０００９】  短冊状切欠部に釘頭状ホルダー装着部を連結するタイプは、鍵を持ってキーケースを吊り下げ揺らしたり施錠開錠の際に捻り回転を加えた時の動的エネルギーがほぼ短冊状切欠部とホルダー装着部釘状頭部分との連結部分に集中するため、磨耗、変形といった使用中の経年変化を短期間のうちに引き起こしやすい。  それに対し、請求項２又は請求項３又は請求項４に記載するホルダー装着部やキー装着部を請求項１に記載する板状台座に連結するキーケース・キーホルダーは、板状台座の橋状開口部に連結する部分と、ホルダー装着部の内部構造部分又はキー装着部との連結構造部分とに前記動的エネルギーが分散されるので、使用中の壊れるほどの磨耗や変形という事態そのものになかなか至らない。【００１０】  板状台座上部縁の環状突出部に作る短冊状切欠部のタイプに比較して請求項１に記載する板状台座の加工ははるかに単純であり、短冊状切欠部タイプに棒状部材を追加するタイプに比較して新たに追加する部品はないので、製造コスト面でも優れている。【００１１】  請求項２及び請求項３及び請求項４に記載するホルダー装着部又はキー装着部は、いずれも捻り回転運動に対する吸収力を備えているので、施錠開錠を楽に行うことができる。【００１２】  請求項１に記載する板状台座は、全体的に形が単純なので、短冊状切欠部タイプや環状突出部に棒状部材を取り付けるタイプよりデザイン的な自由度は大きく、また連結するホルダー装着部やキー装着部の形状も請求項２や請求項３に記載するホルダー装着部以外に鎖、玉鎖、キーワイヤー、回転ナスカンなど幅広く選択することができ、大型鍵にも十分対応できる。
【発明を実施するための最良の形態】
【００１３】  請求項１に記載する板状台座は、図１に示すように、板状台座１を部分的に切込み成形して橋状成形部１１を設け、橋状成形部１１の橋桁下に橋状開口部１２を設ける。【００１４】  請求項２に記載するホルダー装着部は、図３に示すように垂直に立てた環３１にほぼ水平面に平行する環３２がほぼ直角の角度でつながるよう任意の線材で形成する。【００１５】  図４に示すように、橋状開口部４２にホルダー装着部４３の環４３１を通すときに橋状開口部４２に多少遊びが生じるように加工することで、橋状開口部に連結されたホルダー装着部４３を上下左右に大きく回動させることができる。【００１６】  さらに環４３２でキー装着部４４の細くくびれた折れ曲がり部分に首輪をかけるように連結するとき、環４３２とキー装着部４４のくびれ部分との間に多少の遊びが生じるよう加工することでホルダー装着部４３を動かさずにキー装着部４４を滑らかに捻り回転させることが可能なので、施錠開錠の際の鍵の捻り回転運動を楽に行うことができる。【００１７】  図５で示すように、橋状開口部５２に通して連結する請求項３記載のホルダー装着部５３についても、連結部分に遊びを設けることで開口部５２に連結された状態でリングを左右上下に大きく回動することができるばかりでなく、ホルダー装着部５３の複数のリングの間に生じる大きな遊びにより施錠開錠の際の鍵の捻り回転運動を楽に行うことができる。【００１８】  請求項１に記載する板状台座に吊設するホルダー装着部又はキー装着部は請求項２又は請求項３に記載するホルダー装着部、キー装着部以外に、図６に示すように鎖型６３又は鎖玉型６４又はキーワイヤー型６５などの紐状ホルダー装着部・キー装着部、若しくは回転ナスカン型６６などの捻り回転運動を吸収するものの範囲で、任意で選択できる。
【実施例】
【００１９】  請求項１に記載する板状台座は形状が単純なので、短冊状切欠部タイプでは不可能だった金属以外の素材も、金属と同等以上の耐磨耗性強度を有するものならば採用可能である。【００２０】  図１の開口部１２は穴を貫く中心線が図上横方向になるタイプを示し、図２の開口部２２は穴の中心線が図上縦方向になるタイプを示しており、穴の中心線が横方向になる開口部と縦方向になる開口部とを、一つの板状台座で同時にあわせ持つこともできる。【００２１】  図２において、橋状成形部２１の中は空洞になる場合と詰まっている場合とに分かれ、詰まっている場合の開口部２２はトンネル状に貫通する穴となる。【００２２】  図１又は図２で、開口部をそれぞれ５組しか示していないが、５組以外のものを排除するものではない。【００２３】  請求項２に記載するホルダー装着部に連結するキー装着部について図４で甲丸スナップを示しているが、ホルダー装着部の環３２で首輪をかけるようにして連結するためのくびれて細くなった部分を設けるキー装着部ならば甲丸スナップ以外のものでも採用できる。【００２４】  請求項３に記載するホルダー装着部に連結するキー装着部について図５で甲丸スナップを示しているが、甲丸スナップ以外のホルダー装着部を連結することもでき、又は鍵に最も近い最端リングを二重リングにしてそのままキー装着部として機能させることもできる。【００２５】  請求項３に記載するホルダー装着部は図５で二重リングを示しているが、リングを閉じた部分が広がらないよう加工していれば一重リングでも採用可能である。
【図面の簡単な説明】
【００２６】
【図１】(ａ）は板状台座１の平面図であり、        （ｂ）は前記台座の上側立面図、        （ｃ）は前記台座の左側立面図、        （ｄ）は前記台座の右側立面図である。
【００２７】
【図２】（ａ）は板状台座２の平面図であり、        （ｂ）は前記台座の上側立面図、        （ｃ）は前記台座の左側立面図、        （ｄ）は前記台座の右側立面図である。
【００２８】
【図３】（ａ）は環を二つ持つホルダー装着部の正面図であり、        （ｂ）は前記ホルダー装着部の上側から見た平面図、        （ｃ）は前記ホルダー装着部の右側立面図、        （ｄ）は前記ホルダー装着部の斜視図である。
【００２９】
【図４】は請求項１記載の板状台座に請求項２記載のホルダー装着部と甲丸スナップを連結し、鍵を装着したところを示す斜視図である。
【００３０】
【図５】は請求項１記載の板状台座に請求項３記載のホルダー装着部と甲丸スナップを連結し、鍵を装着したところを示す斜視図である。
【００３１】
【図６】は請求項１記載の板状台座に請求項４記載の鎖、玉鎖、キーワイヤー及び回転ナスカンなど各タイプのホルダー装着部又はキー装着部を連結したところを示す斜視図である。
【符号の説明】
【００３２】    １  板状台座  １１  橋状成形部  １２  穴の中心線が横方向となる橋状開口部  １３  板状台座１をハウジングに固定するリベット    ２  板状台座  ２１  橋状成形部  ２２  穴の中心線が縦方向となる橋状開口部  ２３  板状台座２をハウジングに固定するリベット    ３  環を二つ持つホルダー装着部  ３１  橋状開口部に通して連結する環  ３２  甲丸スナップなどのキー装着部を連結するための環    ４  板状台座  ４１  橋状成形部  ４２  橋状開口部  ４３  環を二つ持つホルダー装着部４３１  橋状開口部に通して連結する環４３２  甲丸スナップなどのキー装着部を連結するための環  ４４  キー装着部として機能する甲丸スナップ  ４５  装着された鍵    ５  板状台座  ５１  橋状成形部  ５２  橋状開口部  ５３  複数のリングからなるホルダー装着部  ５４  キー装着部として機能する甲丸スナップ  ５５  装着された鍵    ６  板状台座  ６１  橋状成形部  ６２  橋状開口部  ６３  鎖型ホルダー装着部６３１  キー装着部として機能する甲丸スナップ  ６４  玉鎖型キー装着部  ６５  キーワイヤー型キー装着部  ６６  回転ナスカン型キー装着部
【図１】
2005177431.tif 000003
【図２】
2005177431.tif 000004
【図３】
2005177431.tif 000005
【図４】
2005177431.tif 000006
【図５】
2005177431.tif 000007
【図６】
2005177431.tif 000008